(57)【特許請求の範囲】
【請求項１】
デジタル放送を受信するためのデジタル放送受信手段と、
受信した前記デジタル放送が双方向放送に対応したものであるか否かを検出するための双方向放送検出手段と、
前記双方向放送をサービスするサーバ装置に接続する際に経由する無線ＬＡＮとのインタフェース処理を行うための無線ＬＡＮインタフェースと、
前記無線ＬＡＮ上で相手となる装置を検出する問い合わせ処理を起動するための起動手段とを備え、
前記双方向放送検出手段は、受信した前記デジタル放送が双方向放送に対応したものであることを検出した場合に、前記起動手段を起動することを特徴とするデジタル放送受信装置。
【請求項２】
前記問い合わせ処理により検出された前記無線ＬＡＮ上の装置が、前記サーバ装置が接続されている公衆網に対するアクセスが可能な装置であるか否かを判断するための公衆網アクセス検出手段を更に備えたことを特徴とする請求項１に記載のデジタル放送受信装置。
【請求項３】
前記問い合わせ処理により検出された前記無線ＬＡＮ上の装置のうち、前記公衆網アクセス検出手段により前記サーバ装置が接続されている公衆網に対するアクセスが可能な装置であると判断されたものについてのアクセスポイント属性情報を記憶するためのアクセスポイント属性記憶手段と、
ユーザから双方向放送の利用を促す指示が入力された場合に、前記アクセスポイント属性記憶手段に保持されている前記アクセスポイント属性情報に基づいて前記無線ＬＡＮ上の公衆網に対するアクセスが可能な装置に関する情報を所定のディスプレイに表示するための表示処理手段とを更に備えたことを特徴とする請求項２に記載のデジタル放送受信装置。
【請求項４】
前記表示手段は、前記アクセスポイント属性情報に基づいて予め定められた所定の評価関数に依って求めた順列に従って、前記無線ＬＡＮ上の公衆網に対するアクセスが可能な装置に関する情報を前記所定のディスプレイに表示することを特徴とする請求項３に記載のデジタル放送受信装置。
【請求項５】
前記所定のディスプレイに前記無線ＬＡＮ上の公衆網に対するアクセスが可能な装置に関する情報が表示された後に、ユーザからいずれかの前記無線ＬＡＮ上の公衆網に対するアクセスが可能な装置を選択する指示が入力された場合に、ユーザにより指示された装置を経由し前記無線ＬＡＮを通して、前記サーバ装置が接続されている公衆網に対するアクセスを行うことを特徴とする請求項３に記載のデジタル放送受信装置。
【請求項６】
前記無線ＬＡＮ上の公衆網に対するアクセスが可能な装置は、公衆網上の携帯電話であって前記無線ＬＡＮに対する無線ＬＡＮインタフェースを持つものであることを特徴とする請求項２ないし５のいずれか１項に記載のデジタル放送受信装置。
【請求項７】
前記無線ＬＡＮとしてＢｌｕｅｔｏｏｔｈを用いることを特徴とする請求項１ないし６のいずれか１項に記載のデジタル放送受信装置。
【請求項８】
双方向放送をサービスするサーバ装置に無線ＬＡＮを経由して接続するデジタル放送受信装置における双方向放送制御方法であって、
デジタル放送を受信し、
受信した前記デジタル放送が双方向放送に対応したものであるか否かを調べ、受信した前記デジタル放送が双方向放送に対応したものであると判断された場合に、前記無線ＬＡＮ上で相手装置を検出する問い合わせ処理を起動するための起動手段を起動することを特徴とする双方向放送制御方法。
【発明の詳細な説明】
【０００１】
【発明の属する技術分野】
本発明は、Ｂｌｕｅｔｏｏｔｈ等の無線を介して公衆網アクセスを行うことのできるデジタル放送受信装置及び双方向放送制御方法に関する。
【０００２】
【従来の技術】
デジタル放送の開始が大きな注目を集めている。デジタル放送は、ＨＤＴＶ放送、多チャンネル、録画等の品質劣化が無いなど、種々の特徴を持っているが、特に注目を集めているのがデータ放送、双方向放送である。
【０００３】
双方向放送は、電話網やインターネット上に用意されたデジタル放送用のサーバと、デジタルテレビ（ＴＶ）との間を接続し、デジタル放送を介してデジタルＴＶに送られたデータに基づいて通信を行うことにより、放送局からＴＶへの一方通行ではなく、ユーザから局への放送の「通信」を実現し、もって、電子商取引や、クイズ番組の回答、アンケートなど、様々な応用が検討されているアプリケーションである。
【０００４】
他方ではパソコンインターネットが大きな注目を集めているが、テレビは、その操作性の簡単さから、そのユーザ層の広がりがパソコンの比ではなく、双方向放送が注目を集めている理由もここにある。
【０００５】
双方向放送を実現するために、デジタルＴＶには、電話接続機能の装備が義務付けられている。しかしながら、デジタルＴＶに対して電話線の配線を行うのは、現実には多くの家庭にとって面倒な作業である。通常、電話線の口は、デジタルＴＶが置かれるであろう場所と近接しているとは限らず、更に、電話線の口とデジタルＴＶとの間を電話線等を使って配線すると、部屋の美観を損ねたり、あるいは子供等が電話線ケーブルに足を引っ掛けたり、といった問題が多く発生するのは良く知られている。
【０００６】
この電話線ケーブルの問題を解決するのが、「無線を使った電話線接続／インターネット接続」である。例えば、Ｂｌｕｅｔｏｏｔｈには、これを搭載した携帯電話やダイアルアップモデムを通して、ダイヤルアップやインターネットアクセス（ＬＡＮアクセス）を行うためのプロファイルが用意されており、これを使って、電話線配線無しにサーバ接続を実現することが可能である。
【０００７】
しかしながら、ここで新たに問題となるのが、「Ｂｌｕｅｔｏｏｔｈ等の無線デバイスが、通信相手を見つけるためのＩｎｑｕｉｒｙ（問い合わせ処理）に数十秒かかる可能性がある」という点である。Ｉｎｑｕｉｒｙとは、Ｂｌｕｅｔｏｏｔｈのデバイス（ノード）が、通信可能な範囲内に存在する他のＢｌｕｅｔｏｏｔｈデバイスを検出するための処理である。
【０００８】
すなわち、一般ユーザは、双方向放送（サーバとの通信）を起動する場合には、「すぐにサーバとつながってくれる」ことを期待する（その間にも、番組はどんどんと流れていってしまうので）。しかし、ユーザが双方向放送を利用したサービスを利用しようとした場合に、「ユーザの操作（双方向放送サービス利用ボタンを押す、等）」、「Ｂｌｕｅｔｏｏｔｈデバイス（公衆網アクセスデバイス）の選択」、「Ｂｌｕｅｔｏｏｔｈデバイス（公衆網アクセスデバイス）とのコネクション確立」、「公衆網上のサーバとのコネクションの確立」、「双方向放送サービスの開始」という手順を踏むことになる。この中で、特にＢｌｕｅｔｏｏｔｈのＩｎｑｕｉｒｙは時間のかかる処理であり、これはユーザの待ち時間を著しく増大させることにつながる。
【０００９】
したがって、「Ｂｌｕｅｔｏｏｔｈ等の無線デバイス、通信相手を見つけるためのＩｎｑｕｉｒｙ処理に大きな時間がかかる」、という点は大きな問題である。
【００１０】
【発明が解決しようとする課題】
以上説明したように、従来の双方向放送のために公衆網接続を行うデジタル放送受信装置は、公衆網接続へ接続するためにＢｌｕｅｔｏｏｔｈ等の無線ＬＡＮを使用した場合に、Ｂｌｕｅｔｏｏｔｈ等の無線デバイス（通信相手）を見つけるためのＩｎｑｕｉｒｙ処理に大きな時間がかかるという問題があった。
【００１１】
本発明は、上記事情を考慮してなされたもので、ユーザから双方向放送の利用を促す入力が与えられた場合に、すみやかに双方向放送をサービスするサーバ装置に接続し、双方向放送の利用を開始できるようにしたデジタル放送受信装置及び双方向放送制御方法を提供することを目的とする。
【００１２】
【課題を解決するための手段】
本発明に係るデジタル放送受信装置は、デジタル放送を受信するためのデジタル放送受信手段と、受信した前記デジタル放送が双方向放送に対応したものであるか否かを検出するための双方向放送検出手段と、前記双方向放送をサービスするサーバ装置に接続する際に経由する無線ＬＡＮとのインタフェース処理を行うための無線ＬＡＮインタフェースと、前記無線ＬＡＮ上で相手となる装置を検出する問い合わせ処理を起動するための起動手段とを備え、前記双方向放送検出手段は、受信した前記デジタル放送が双方向放送に対応したものであることを検出した場合に、前記起動手段を起動することを特徴とする。
【００１３】
好ましくは、前記問い合わせ処理により検出された前記無線ＬＡＮ上の装置が、前記サーバ装置が接続されている公衆網に対するアクセスが可能な装置であるか否かを判断するための公衆網アクセス検出手段を更に備えるようにしてもよい。
【００１４】
好ましくは、前記問い合わせ処理により検出された前記無線ＬＡＮ上の装置のうち、前記公衆網アクセス検出手段により前記サーバ装置が接続されている公衆網に対するアクセスが可能な装置であると判断されたものについてのアクセスポイント属性情報を記憶するためのアクセスポイント属性記憶手段と、ユーザから双方向放送の利用を促す指示が入力された場合に、前記アクセスポイント属性記憶手段に保持されている前記アクセスポイント属性情報に基づいて前記無線ＬＡＮ上の公衆網に対するアクセスが可能な装置に関する情報を所定のディスプレイに表示するための表示処理手段とを更に備えるようにしてもよい。
【００１５】
好ましくは、前記所定のディスプレイに前記無線ＬＡＮ上の公衆網に対するアクセスが可能な装置に関する情報が表示された後に、ユーザからいずれかの前記無線ＬＡＮ上の公衆網に対するアクセスが可能な装置を選択する指示が入力された場合に、ユーザにより指示された装置を経由し前記無線ＬＡＮを通して、前記サーバ装置が接続されている公衆網に対するアクセスを行うようにしてもよい。
【００１６】
また、本発明は、双方向放送をサービスするサーバ装置に無線ＬＡＮを経由して接続するデジタル放送受信装置における双方向放送制御方法であって、デジタル放送を受信し、受信した前記デジタル放送が双方向放送に対応したものであるか否かを調べ、受信した前記デジタル放送が双方向放送に対応したものであると判断された場合に、前記無線ＬＡＮ上で相手装置を検出する問い合わせ処理を起動するための起動手段を起動することを特徴とする。
【００１７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読取り可能な記録媒体としても成立する。
【００１８】
本発明では、デジタル放送の受信中に、受信したデジタル放送が双方向放送に対応したものであるか否かを監視し、受信したデジタル放送が双方向放送に対応したものであることが検出された場合に、無線ＬＡＮ上で相手装置を検出する問い合わせ処理（例えば、無線ＬＡＮがＢｌｕｅｔｏｏｔｈの場合におけるＩｎｑｕｉｒｙ）を起動するための起動手段を起動する。これによって、Ｉｎｑｕｉｒｙ等の手続きが起動され、無線ＬＡＮ上で相手となる装置が検出される。更には、問い合わせ処理により検出された無線ＬＡＮ上の装置が、サーバ装置が接続されている公衆網に対するアクセスが可能な装置であるか否かを判断し、公衆網アクセス可能な装置についてのアクセスポイント属性情報を取得しておくこともできる。また、ユーザから双方向放送の利用を促す指示が入力された場合に、公衆網アクセス可能な装置に関する情報をディスプレイに表示し、ユーザからいずれかの装置が選択されたならば、その装置を経由し無線ＬＡＮを通して公衆網にアクセスするようにすることができる。
【００１９】
本発明によれば、受信したデジタル放送が双方向放送に対応したものであることが検出された時点で双方向放送の利用のために必要な処理の全部または一部を先行して行うことで、ユーザから双方向放送の利用を促す入力が与えられた場合に、すみやかに双方向放送をサービスするサーバ装置に接続し、双方向放送の利用を開始できるようになる。
【００２０】
【発明の実施の形態】
以下、図面を参照しながら発明の実施の形態を説明する。
【００２１】
図１に、本発明の一実施形態に係るデジタル放送受信装置（デジタルＴＶ）を含む放送・通信システムの構成例を示す。
【００２２】
１０１はデジタルＴＶ、１０２は携帯電話、１０３はデジタル放送サーバ、１０４はＢｌｕｅｔｏｏｔｈ、１０５は公衆網である。
【００２３】
本実施形態では、双方向放送機能を有するデジタル放送受信装置であるデジタルＴＶ１０１が、（双方向放送のために）公衆網１０５上のデジタル放送サーバ１０３と通信する際に、（無線ＬＡＮインタフェースを持つ）携帯電話１０２を介して通信する場合を例にとって説明している。
【００２４】
また、本実施形態では、デジタルＴＶ１０１と携帯電話１０２との間の通信は、無線ＬＡＮの一種であるＢｌｕｅｔｏｏｔｈ１０４を介して行われる（Ｂｌｕｅｔｏｏｔｈについては、例えば、ｈｔｔｐ：／／ｗｗｗ．ｂｌｕｅｔｏｏｔｈ．ｃｏｍにて取得可能に開示されている文書に説明が詳しい）。
【００２５】
公衆網１０５は、特にその種類は問われないが、例えば、電話網であったり、携帯電話網であったり、携帯電話インターネット（例えば、ｉモードのような携帯電話に閉じたプロトコルで運用されるインターネット）であったり、インターネットであったりする。
【００２６】
デジタルＴＶ１０１が、公衆網１０５上のデジタル放送サーバ１０３と通信を行うのは、いわゆる双方向放送（インタラクティブ放送）を行う場合である。デジタルＴＶ１０１は、例えばＴＶリモコン１０６のような、ユーザからの働きかけを受信するためのデバイスを持っており、そのＴＶリモコン１０６等によってなされたユーザ入力を放送局側のサーバ１０３に伝えるために、公衆網１０５を介した通信手段が必要となる。
【００２７】
従来のシステムでは一般にデジタルＴＶに有線の電話線を接続し電話網を介してデジタル放送サーバに接続する形でそれが行われている。
【００２８】
本実施形態では、デジタルＴＶ１０１から公衆網１０５への接続は携帯電話１０２を介して行い、デジタルＴＶ１０１と携帯電話１０２との間の接続にＢｌｕｅｔｏｏｔｈ１０４を用いることにより、
デジタルTV＝Bluetooth＝携帯電話＝公衆網＝デジタル放送サーバ
という接続形態を確立する。
【００２９】
その際は、後述のように、Ｂｌｕｅｔｏｏｔｈに用意されている公衆網接続のためのプロファイルを用いることになる。このようにすることにより、家庭内におけるデジタルＴＶ周りの通信配線が不要になる。
【００３０】
図２に、本実施形態のデジタルＴＶ１０１の内部構成の一例を示す。
【００３１】
図２に示されるように、このデジタルＴＶ１０１は、デジタル放送を受信するためのデジタル放送受信部２０１と、双方向放送サービスに関する処理を行うための双方向放送処理部２０２と、受信中のデジタル放送が双方向放送に対応したものであるか否かを検出するための双方向放送検出部２０３と、Ｂｌｕｅｔｏｏｔｈ上で相手装置を検出するためのＩｎｑｕｉｒｙを起動するためのＩｎｑｕｉｒｙ（問い合わせ処理）起動部２０４と、公衆網アクセスの手続きを行うための公衆網サーバ接続部２０５と、Ｉｎｑｕｉｒｙにより検出されたＢｌｕｅｔｏｏｔｈ上で公衆網アクセス可能な装置についてのアクセスポイント属性情報を記憶するためのアクセスポイント属性記憶部２０６と、Ｉｎｑｕｉｒｙにより検出されたＢｌｕｅｔｏｏｔｈ上の装置が公衆網アクセスを行う機能をサポートしているか否かを検出するためのダイヤルアップ・ＬＡＮアクセス検出部２０７と、Ｂｌｕｅｔｏｏｔｈとのインタフェース処理を行うためのＢｌｕｅｔｏｏｔｈインタフェース２０８と、ユーザ要求を受信するためのユーザ要求受信部２０９と、受信した番組やその他の情報等を表示するためのディスプレイ部２１０とを備えている。
【００３２】
また、図３に、デジタルＴＶ１０１の処理手順の一例を示す。
【００３３】
また、図４／図５に、システム全体におけるシーケンスの一例を示す。
【００３４】
以下、各図を参照しながら本実施形態についてより詳しく説明する。
【００３５】
まず、デジタルＴＶ１０１は、デジタル放送受信部２０１を通して、（図示しない放送局から放送された）デジタル放送の受信を行っている。デジタル放送には、ＨＤＴＶ品質の高画質放送や、ＳＤ品質の通常放送、データ放送、双方向放送（インタラクティブ放送）等、多彩な放送形式が含まれる。これらの放送形式が、同一の番組（時間）に同時に行われることもある。
【００３６】
一方、双方向放送検出部２０３は、受信している放送が双方向放送に対応したものであるかどうかを常に監視している。ここで、受信している放送が双方向放送であることを検出した場合（ステップＳ３０１，Ｓ４０１）、双方向放送検出部２０３は、Ｉｎｑｕｉｒｙ起動部２０４を起動し、Ｉｎｑｕｉｒｙ起動部２０４は、Ｂｌｕｅｔｏｏｔｈインタフェース２０８を通して、ＢｌｕｅｔｏｏｔｈのＩｎｑｕｉｒｙを起動する（ステップＳ３０２，Ｓ４０２）。
【００３７】
ＢｌｕｅｔｏｏｔｈのＩｎｑｕｉｒｙとは、Ｂｌｕｅｔｏｏｔｈデバイスが、その周辺に通信可能な他のＢｌｕｅｔｏｏｔｈデバイスがいないかどうかを検出する手順であり、Ｂｌｕｅｔｏｏｔｈデバイスが通信するために第１に行うべき手順である。この手順は、一般に１０秒程度、最悪の場合２０秒近くかかることが知られている。
【００３８】
ユーザが双方向放送を起動する場合、デジタルＴＶ１０１は、すぐに公衆網１０５上のデジタル放送サーバ１０３と通信できることが望ましい。しかし、ユーザが双方向放送を起動した場合に、実際にデジタルＴＶ１０１が、公衆網１０５と通信可能なデバイスをＢｌｕｅｔｏｏｔｈ上で検出するのに数十秒かかると、それだけデジタル放送サーバ１０３と実際に通信できるのに時間がかかってしまうことになり、ユーザを待たせることになってしまう（この結果、ユーザが目的を達成できないことになったり、ユーザに対してストレスを与えることになったりしてしまう）。
【００３９】
そこで、本実施形態のデジタルＴＶ１０１は、受信している放送が双方向放送に対応したものであることを検出した時点でＢｌｕｅｔｏｏｔｈのＩｎｑｕｉｒｙをかけてしまい、Ｂｌｕｅｔｏｏｔｈ１０４上の通信可能なデバイスを検出し、更に公衆網１０５との通信が可能なデバイスを検出する所までの処理を行ってしまう。
【００４０】
Ｂｌｕｅｔｏｏｔｈ１０４上の他のデバイス（ここでは携帯電話１０２と図示しないケーブルモデムとする）は、Ｉｎｑｕｉｒｙ応答をそれぞれ返す（ステップＳ４０３，Ｓ４０４）。Ｉｎｑｕｉｒｙ応答を受信（ステップＳ３０３）したデジタルＴＶ１０１のダイヤルアップ・ＬＡＮアクセス検出部２０７は、Ｉｎｑｕｉｒｙ応答を返してきた装置とＢｌｕｅｔｏｏｔｈコネクションを確立し、サービス検出プロトコル（ＳＤＰ）等を用いて、その装置が公衆網アクセスを行う機能をサポートしているか否かを検出する（ステップＳ３０４，Ｓ３０５，Ｓ４０５，Ｓ４０６）。なお、その装置が公衆網アクセスを行う機能をサポートしているか否かについての検出は、例えば、その装置がダイヤルアッププロファイルであるとか、ＬＡＮアクセスプロファイルであるとか、パーソナルエリアネットワーク（ＰＡＮ）のプロファイル等に準拠しているか否かを確かめることによって、行うことができる。
【００４１】
デジタルＴＶ１０１のダイヤルアップ・ＬＡＮアクセス検出部２０７が、ＳＤＰのリプライを検証するなどして、Ｂｌｕｅｔｏｏｔｈ１０４上の公衆網アクセス可能な装置を把握したならば、その装置のＢｌｕｅｔｏｏｔｈアドレス、サービス属性情報（サポートしているサービス、携帯電話の電話番号、所有者、公衆網とのインタフェースのビットレート、料金、その他）等を、アクセスポイント属性情報として、内部のアクセスポイント属性記憶部２０６に記憶しておく（ステップＳ３０６，Ｓ４０７）。
【００４２】
なお、ここでは、受信している放送が双方向放送に対応したものであることを検出した時点でＢｌｕｅｔｏｏｔｈコネクションの確立までを行う例を示しているが、その代わりに、その時点ではＢｌｕｅｔｏｏｔｈコネクションの確立までは行わず、Ｂｌｕｅｔｏｏｔｈアドレスまでの捕捉を行い、これをアクセスポイント属性記憶部２０６に記憶しておく、という方法もある。Ｂｌｕｅｔｏｏｔｈアドレスの捕捉を行うだけでも、その装置がどのような装置であるかの概略（分類）を知ることは可能であるし、後にＩｎｑｕｉｒｙにかかる時間を節約することが可能となる。この場合は、双方向放送の利用の要求（ステップＳ４０８）がユーザからあった場合に、前記Ｂｌｕｅｔｏｏｔｈコネクションの確立やサービス属性情報の収集等を行うことになる。
【００４３】
さて、次に、ユーザが例えばＴＶリモコン１０６を使う等して、双方向放送の利用の要求を行ってきたとする（ステップＳ３０７，Ｓ４０８）。なお、双方向放送の利用の要求は、それをユーザが明示的に行う場合の他に、ユーザが双方向放送を前提とする何らかの機能を選択した場合を含む。
【００４４】
このユーザからの双方向放送の利用の要求は、ユーザ要求受信部２０９により受信される。そして、この要求は、アクセスポイント属性記憶部２０６に通知される。すると、Ｉｎｑｕｉｒｙにより検出された装置のうち公衆網１０５に対するアクセスが可能と判断されたもの（すなわち先にアクセスポイント属性記憶部２０６に記憶した装置）のうちのいずれの装置を使って公衆網アクセスを行うかについての選択をユーザにさせるための画面が、（例えば図示しない表示処理部によって）アクセスポイント属性記憶部２０６に記憶されたアクセスポイント属性情報に基づいて作成される。この画面は、ディスプレイ部２１０に表示される（ステップＳ３０８，Ｓ４０９）。なお、この画面は、ディスプレイ部２１０の代わりにまたはこれに加えて、デジタルＴＶ１０１の外部のディスプレイ装置あるいは（ＴＶリモコン１０６がディスプレイを持つものである場合に）ＴＶリモコン１０６のディスプレイに表示するようにしてもよい。
【００４５】
図６に、この画面の内容の一例を示す。図６では、Ｂｌｕｅｔｏｏｔｈ内に公衆網アクセス可能な装置が３つあり、それらのうちの２つが携帯電話であり、もう１つがケーブルモデムである場合を例示している。この画面例では、ユーザにとって、どの通信方法が最もコストが安いか、あるいは、最も快適であるか（ビットレートが高いか）についての情報を含むものになっている。また、その通信装置の所有者が誰であるかも、表示するようになっている（誰に、その通信の料金が課金されるかをユーザに示すためである）。その他、その装置を特定するための情報として、携帯電話の電話番号や、その装置の配置位置等も表示されてもよい。
【００４６】
ユーザは、ディスプレイ部２１０に表示されたＢｌｕｅｔｏｏｔｈ内の公衆網アクセス可能な装置のうちから、所望の装置を選択し、例えばＴＶリモコン１０６の数字ボタンあるいは確定ボタンを押すなどの操作をすることによって、それを決定（入力）する（ステップＳ３０９，Ｓ４１０）。入力された選択結果は、ユーザ要求受信部２０９を通してアクセスポイント属性記憶部２０６に通知される。そして、アクセスポイント属性記憶部２０６から公衆網サーバ接続部２０５に通知され、公衆網サーバ接続部２０５がダイヤルアップ・ＬＡＮアクセス検出部２０７を介して、当該選択された装置（ここでは携帯電話１０２）に対して、公衆網アクセスの手続きを行う（ステップＳ３１０，Ｓ４１１）。例えば、本実施形態の携帯電話１０２では、ダイヤルアップの機能を用いて、公衆網１０５上のデジタル放送サーバ１０３と接続を試みる。このダイヤルアップは、Ｂｌｕｅｔｏｏｔｈ１０４と公衆網１０５を介して行われ、デジタルＴＶ１０１とデジタル放送サーバ１０３との間で、その手続きや初期化が行われる（ステップＳ３１１，Ｓ４１２）。
【００４７】
最終的に、デジタルＴＶ１０１とデジタル放送サーバ１０３間で、双方向放送サービスのためのコネクションが確立し、サービスが開始される（ステップＳ３１２，Ｓ４１３）。このとき、このコネクションは、Ｂｌｕｅｔｏｏｔｈ１０４、携帯電話１０２、公衆網１０５を介して、デジタルＴＶ１０１とデジタル放送サーバ１０３を接続している。
【００４８】
サービスが開始されると、双方向放送のための手続きが、双方向放送処理部２０２によって行われる。
【００４９】
このように本実施形態によれば、受信したデジタル放送が双方向放送に対応したものであることが検出された時点で双方向放送の利用のために必要な処理の全部または一部を先行して行うことで、ユーザから双方向放送の利用を促す入力が与えられた場合に、すみやかに双方向放送をサービスするサーバ装置に接続し、双方向放送の利用を開始できるようになる。
【００５０】
なお、公衆網アクセスの方法の選択方法として、これまではユーザによる選択を行わせる実施形態を示してきた。他の方法として、自動選択アルゴリズムを用いることも可能である。例えば、ユーザにとって最も快適であると考えられる方法、すなわち「料金が最もかからない装置（常時接続契約などになっていて、料金が定額料金となっているもの）」、あるいは、「公衆網とのインタフェースのビットレートが最も高い装置」を選択する方法である。これらの情報は、例えばＢｌｕｅｔｏｏｔｈのＳＤＰや、更に上位のプロトコルによって取得することができる。この場合は、ユーザに接続方法をいちいち尋ねることをすることもないので、デジタル放送サーバとの接続を更に早く進めることが可能となる。
【００５１】
図７に、この場合の手順の一例を示す。まず、公衆網接続のための契約が定額料金となっているものを選択し（ステップＳ６０１）、次いで、それらについてビットレートが高いものを順に並べ（ステップＳ６０２）、その際に最上位になった公衆網接続方式を選択する（ステップＳ６０３）。
【００５２】
もちろん、アクセスポイント属性記憶部で記憶した無線ノードが、まだ存在しているかどうかを定期的にポーリングしてチェックし、その場からいなくなったことが確認されたものについてはアクセスポイント属性記憶部から解除する、となっていても良い。
【００５３】
なお、以上の各機能は、ソフトウェアとして実現可能である。
また、本実施形態は、コンピュータに所定の手段を実行させるための（あるいはコンピュータを所定の手段として機能させるための、あるいはコンピュータに所定の機能を実現させるための）プログラムとして実施することもでき、該プログラムを記録したコンピュータ読取り可能な記録媒体として実施することもできる。
【００５４】
なお、この発明の実施の形態で例示した構成は一例であって、それ以外の構成を排除する趣旨のものではなく、例示した構成の一部を他のもので置き換えたり、例示した構成の一部を省いたり、例示した構成に別の機能あるいは要素を付加したり、それらを組み合わせたりすることなどによって得られる別の構成も可能である。また、例示した構成と論理的に等価な別の構成、例示した構成と論理的に等価な部分を含む別の構成、例示した構成の要部と論理的に等価な別の構成なども可能である。また、例示した構成と同一もしくは類似の目的を達成する別の構成、例示した構成と同一もしくは類似の効果を奏する別の構成なども可能である。
また、この発明の実施の形態で例示した各種構成部分についての各種バリエーションは、適宜組み合わせて実施することが可能である。
また、この発明の実施の形態は、個別装置としての発明、関連を持つ２以上の装置についての発明、システム全体としての発明、個別装置内部の構成部分についての発明、またはそれらに対応する方法の発明等、種々の観点、段階、概念またはカテゴリに係る発明を包含・内在するものである。
従って、この発明の実施の形態に開示した内容からは、例示した構成に限定されることなく発明を抽出することができるものである。
【００５５】
本発明は、上述した実施の形態に限定されるものではなく、その技術的範囲において種々変形して実施することができる。
【００５６】
【発明の効果】
本発明によれば、受信したデジタル放送が双方向放送に対応したものであることが検出された時点で双方向放送の利用のために必要な処理の全部または一部を先行して行うことで、ユーザから双方向放送の利用を促す入力が与えられた場合に、すみやかに双方向放送をサービスするサーバ装置に接続し、双方向放送の利用を開始できるようになる。
【図面の簡単な説明】
【図１】本発明の一実施形態に係るデジタルＴＶを含む放送・通信システムの構成例を示す図
【図２】同実施形態に係るのデジタルＴＶの内部構成の一例を示す図
【図３】同実施形態に係るデジタルＴＶの処理手順の一例を示すフローチャート
【図４】同実施形態に係るシステム全体におけるシーケンスの一例を示す図
【図５】同実施形態に係るシステム全体におけるシーケンスの一例を示す図
【図６】同実施形態に係るデジタルＴＶのディスプレイに表示される公衆網アクセス方法選択のための画面例を示す図
【図７】同実施形態に係るデジタルＴＶにおいえる公衆網アクセス方法選択のための処理手順の一例を示すフローチャート
【符号の説明】
１０１…デジタルＴＶ
１０２…携帯電話
１０３…デジタル放送サーバ
１０４…Ｂｌｕｅｔｏｏｔｈ
１０５…公衆網
２０１…デジタル放送受信部
２０２…双方向放送処理部
２０３…双方向放送検出部
２０４…Ｉｎｑｕｉｒｙ起動部
２０５…公衆網サーバ接続部
２０６…アクセスポイント属性記憶部
２０７…ダイヤルアップ・ＬＡＮアクセス検出部
２０８…Ｂｌｕｅｔｏｏｔｈインタフェース
２０９…ユーザ要求受信部
２１０…ディスプレイ部
【図１】
0003643532.tif 000002
【図２】
0003643532.tif 000003
【図３】
0003643532.tif 000004
【図４】
0003643532.tif 000005
【図５】
0003643532.tif 000006
【図６】
0003643532.tif 000007
【図７】
0003643532.tif 000008